(57)【要約】【課題】革靴又はゴム長靴等の靴の内部に発生する蒸れを防止すると共に、足部の冷えや凍傷を防止するようにした靴用中敷を提供する。【解決手段】靴を履いた使用者が歩行するに応じて伸縮室を開放したとき、バネの弾性力によって伸縮室が膨張するに伴い、吸入弁が吸入通路を開くと同時に排出弁が排出通路を閉じることにより、外部の空気を吸入口から吸入通路を経て伸縮室の内部に吸入し、靴を履いた使用者が歩行するに応じて使用者の足裏で伸縮室を押圧したとき、吸入弁が吸入通路を閉じると同時に、排出弁が排出通路を開放することによって、伸縮室内の空気を排出口から排出するようにした。【選択図】図１
2013132463.tif 000002
【特許請求の範囲】
【請求項１】
靴に使用する中敷の踵側に伸縮性を有する伸縮室を設けると共に、該伸縮室の内部に中敷の面に対して弾性力を発揮するバネとバネの上面を覆う押圧板とを設け、
伸縮室の後方に外部の空気を吸入する吸入口を備えた吸入通路を形成する一方、伸縮室の前方に靴の使用者の指間に空気を排出する排出口を備えた排出通路を形成し、
吸入通路には吸入口から伸縮室の方向へのみ空気を送る逆止弁構造の吸入弁を設けると共に、排出通路には伸縮室から排出口の方向へのみ空気を送る逆止弁構造の排出弁を設け、
靴を履いた使用者が歩行するに応じて伸縮室を開放したとき、バネの弾性力によって伸縮室が膨張するに伴い、吸入弁が吸入通路を開くと同時に排出弁が排出通路を閉じることにより、外部の空気を吸入口から吸入通路を経て伸縮室の内部に吸入し、
靴を履いた使用者が歩行するに応じて使用者の足裏で伸縮室を押圧したとき、
吸入弁が吸入通路を閉じると同時に、排出弁が排出通路を開放することによって、伸縮室内の空気を排出口から排出するようにしたことを特徴とする靴用中敷。
【請求項２】
排出通路の途中であって中敷の土踏まずに相当する部位に補助空気室を設け、該補助空気室の空気を外方へ吐出する吐出口を中敷の踵側の上側へ向けて設けたことを特徴とする請求項１記載の靴用中敷。
【請求項３】
中敷の伸縮室の後方に連通した吸入通路を靴の踵の頂部付近まで伸張すると共に、該吸入通路の上部と靴の踵の頂部とを挟み込んで止める止具を設けたことを特徴とする請求項１又は２記載の靴用中敷。
【請求項４】
排出通路の途中であって中敷の土踏まずに相当する部位に補助空気室を設けると共に、該補助空気室に接触するようにカイロを設けたことを特徴とする請求項１、２又は３記載の靴用中敷。
【請求項５】
長靴に用いる靴用中敷であって、該中敷の伸縮室の後方に連通した吸入通路を複数の屈曲形状に形成してなる屈曲通路を長靴の踵の上方の両側に設け、各屈曲通路にカイロを接着するように設けたことを特徴とする請求項１、２、３又は４記載の靴用中敷。
【発明の詳細な説明】
【技術分野】
【０００１】
本発明は、革靴又はゴム長靴等の靴の内部に設けることによって靴内の蒸れを防止し、又は靴内の足部を暖房するようにした靴用中敷に関する。
【背景技術】
【０００２】
従来から、革靴又はゴム長靴等の靴の内部においては、夏季の温度上昇によって靴内の湿気が上昇し、そのため足部が発汗して悪臭の原因となったり、水虫の原因となることがある。
【０００３】
このため、従来から、足部の発汗を抑制するようにした靴用中敷が案出されている。その例として、後述する特許文献１を参照する。この文献の靴用中敷は、踵側端部に吸入口、指側端部に指間に臨む噴き出し口を有する空気路を設け、吸入口より吸入した空気を溜めて、加圧時にその空気を土踏まず方向に送る第１の空気ポンプと、第１の空気ポンプより送られた空気を指間付近に設けた第２の空気ポンプに送り、該第２の空気ポンプから噴出し口より指間に噴出すようにしたものである。
【０００４】
このような特許文献の靴用中敷の構造は、ウレタンゴム等の弾性をもつ材質から形成された第１の空気ポンプと第２の空気ポンプが設けられているものであり、使用者の歩行の際に足の踵の上下動作で第１の空気ポンプを押圧したり開放したりすることによって、第１の空気ポンプに外部の空気を吸入することが可能である。
【０００５】
しかしながら、ウレタンゴム等の弾性だけでは、第１の空気ポンプの圧縮と伸張を的確に行うことは困難であるため、足の踵の上下動に応じて伸縮する第１の空気ポンプの追従性に難点が生じる。また、第２のポンプが設けられた部位は靴の上下が狭い空間になっている部位であり、この部位の足部は歩行中にほとんど上下動することがなく、足の指部と土踏まずの間の中足部が第２の空気ポンプによって圧迫を受け、窮屈な感覚を受けることになる。
【０００６】
また、一般的にも、靴やゴム長靴等を履いていると、冬季においては、寒さのために足の指先等が冷えたり、極寒の状況では血行不良のために凍傷を起こすおそれがあるため、そのような不祥事を解消するための保温構造が求められている。
【先行技術文献】
【特許文献】
【０００７】
【特許文献１】特開２００１−１１２５０３号公報
【発明の概要】
【発明が解決しようとする課題】
【０００８】
本発明は、上記の事情に鑑みてなされたものであり、革靴又はゴム長靴等の靴の内部に発生する蒸れを防止すると共に、冬季の寒中における足部の冷えや凍傷を防止するようにした靴用中敷を提供することを目的とする。
【課題を解決するための手段】
【０００９】
上記の問題を解決するために、本発明の請求項１の靴用中敷は、靴に使用する中敷の踵側に伸縮性を有する伸縮室を設けると共に、該伸縮室の内部に中敷の面に対して弾性力を発揮するバネとバネの上面を覆う押圧板とを設け、伸縮室の後方に外部の空気を吸入する吸入口を備えた吸入通路を形成する一方、伸縮室の前方に靴の使用者の指間に空気を排出する排出口を備えた排出通路を形成し、吸入通路には吸入口から伸縮室の方向へのみ空気を送る逆止弁構造の吸入弁を設けると共に、排出通路には伸縮室から排出口の方向へのみ空気を送る逆止弁構造の排出弁を設け、靴を履いた使用者が歩行するに応じて伸縮室を開放したとき、バネの弾性力によって伸縮室が膨張するに伴い、吸入弁が吸入通路を開くと同時に排出弁が排出通路を閉じることにより、外部の空気を吸入口から吸入通路を経て伸縮室の内部に吸入し、靴を履いた使用者が歩行するに応じて使用者の足裏で伸縮室を押圧したとき、吸入弁が吸入通路を閉じると同時に、排出弁が排出通路を開放することによって、伸縮室内の空気を排出口から排出するようにしたことを特徴とする。
【００１０】
また、本発明の請求項２の靴用中敷は、請求項１において、排出通路の途中であって中敷の土踏まずに相当する部位に補助空気室を設け、該補助空気室の空気を外方へ吐出する吐出口を中敷の踵側の上側へ向けて設けたことを特徴とする。
【００１１】
また、本発明の請求項３の靴用中敷は、請求項１又は２において、中敷の伸縮室の後方に連通した吸入通路を靴の踵の頂部付近まで伸張すると共に、該吸入通路の上部と靴の踵の頂部とを挟み込んで止める止具を設けたことを特徴とする。
【００１２】
また、本発明の請求項４の靴用中敷は、請求項１、２又は３において、排出通路の途中であって中敷の土踏まずに相当する部位に補助空気室を設けると共に、該補助空気室に接触するようにカイロを設けたことを特徴とする。
【００１３】
さらに、本発明の請求項５の靴用中敷は、請求項１、２、３又は４において、長靴に用いる靴用中敷であって、該中敷の伸縮室の後方に連通した吸入通路を複数の屈曲形状に形成してなる屈曲通路を長靴の踵の上方の両側に設け、各屈曲通路にカイロを接着するように設けたことを特徴とする。
【発明の効果】
【００１４】
本発明の靴用中敷は、上記のように構成されているため、靴を履いた使用者が歩行する動作に応じて外部の空気を吸入口から吸入通路を経て伸縮室に吸入すると共に、伸縮室の空気が排出通路を経て各排出口から靴の使用者の指間に排出される結果、足の蒸れを防止することが可能となる。
【００１５】
また、上記の本発明においては、吸入通路に吸入口から伸縮室の方向へのみ空気を送る逆止弁構造の吸入弁を設けると共に、排出通路に伸縮室から排出口の方向へのみ空気を送る逆止弁構造の排出弁を設けた構成としてあるため、蒸れた空気を排出口から吸い込んで伸縮室に吸入することがなく、常に外部の空気を各排出口から靴の使用者の指間に排出することが可能である。
【００１６】
また、本発明において、排出通路の途中であって中敷の土踏まずに相当する部位に補助空気室を設け、該補助空気室の空気を外方へ吐出する吐出口を中敷の踵側の上側へ向けて設けた構成により、靴を履いた使用者が歩行やその他の動作によって土踏まずを踏み込むごとに、補助空気室の空気を吐出口から中敷の踵側の上側へ向けて排出することができ、靴の使用者の踵周辺の蒸れ防止にも有益となる。
【００１７】
また、本発明において、中敷の伸縮室の後方に連通した吸入通路を靴の踵の頂部付近まで伸張すると共に、該吸入通路の上部と靴の踵の頂部とを挟み込んで止める止具を設けた構成により、吸入通路の吸入口を靴の踵の頂部付近に手軽に固定することが可能であり、また吸入通路の吸入口から外部の新鮮な空気を吸入することが可能となる。
【００１８】
また、本発明において、排出通路の途中であって中敷の土踏まずに相当する部位に補助空気室を設けると共に、該補助空気室に接触するようにカイロを設けた構成により、このカイロで補助空気室内の空気を暖めて、この暖めた空気を靴の使用者の指先周辺に排出することができるため、冬季の寒中における足部の冷えや凍傷を効果的に防止することが可能となる。また、このような構成により、熱伝導によって中敷全体を暖めることができ、冬季の寒中状況において、靴の内部を暖めた状態で使用することが可能となる。
【００１９】
さらに、本発明において、長靴に用いる靴用中敷であって、該中敷の伸縮室の後方に連通した吸入通路を複数の屈曲形状に形成してなる屈曲通路を長靴の踵の上方の両側に設け、各屈曲通路にカイロを接着するように設けた構成により、長靴の場合でも、カイロで補助空気室内の空気を暖め、この暖めた空気を靴の使用者の指先周辺に排出することができるため、冬季の寒中における足部の冷えや凍傷を効果的に防止することが可能となる。また、このような構成により、熱伝導によって長靴の内部全体を暖めることができ、冬季の寒中状況において、長靴を履いた場合でも、内部を暖めた状態で使用することが可能となる。
【図面の簡単な説明】
【００２０】
【図１】本発明の実施例１に係る靴用中敷を敷設した靴の縦断面図である。
【図２】本発明の実施例１に係る靴用中敷の内部構造を示す平面図である。
【図３】本発明の靴用中敷に用いる止具の斜視図である。
【図４】本発明の靴用中敷に用いる逆止弁を示す図であり、（ａ）は逆止弁の正面図、(ｂ)は閉じた逆止弁を示す断面図、(ｃ)は開いた逆止弁を示す断面図である。
【図５】本発明の実施例１に係る靴用中敷の他の構造を示す平面図である。
【図６】本発明の実施例２に係る靴用中敷を敷設した長靴の縦断面図である。
【図７】本発明の実施例２に係る靴用中敷の構造を示す平面図である。
【発明を実施するための形態】
【００２１】
以下、本発明の実施例について図面を参照しながら説明する。
【実施例１】
【００２２】
本実施例の靴用中敷は、図１に示すように、靴２の底面２ａに敷くようにした中敷１の踵側に伸縮性を有する伸縮室３を設けた構成を有する。このような構成において、中敷１は、皮革製、布製、合成樹脂製またはゴム製等の種々の素材による靴に使用することができ、適用する靴の内部の底面に応じた外形にすることが可能である。
【００２３】
また、本実施例の中敷１は、ウレタンゴム等の弾性を有する材質、またはその他の弾性を有する合成樹脂等によるシート材で形成することができ、例えば、後述する吸入通路６、伸縮室３、排出通路７以外の部分では２枚のシートを接合し、吸入通路６、伸縮室３、排出通路７の部分で中空状の所定の各形状に形成することにより、本実施例の中敷１を形成することが可能である。
【００２４】
上記の構成において、図１又は図２に示すように、中敷１の伸縮室３は、ほぼ円形の中空状の空気室を有し、この伸縮室３の内部に中敷１の面に対して弾性力を発揮することにより伸縮するバネ５を設けると共に、バネ５の上面を覆う押圧板４を設けた構成としている。
【００２５】
上記のバネ５は、弾性力を有する剛性の金属または弾性力を有する硬質合成樹脂から形成され、ゼンマイのような形状を有し、その中心が上方へ伸張することによって所定高さの自然状態でバネ弾性を発揮するように形成されている。また、押圧板４はバネ５の上面を覆う広さを有する薄厚の金属板又は硬質の合成樹脂板から形成され、バネ５の上部であって伸縮室３の内部に収納されることにより、バネ５と伸縮室３の天面との間に挟まれた状態となる。このような状態により、伸縮室３を上方から押圧したとき、バネ５の弾性力に抗して押圧板４がバネ５を下方へ押し下げることにより、伸縮室３を圧縮する一方、伸縮室３に対する押圧力を開放したとき、バネ５の弾性力によって伸縮室３を上方へ押し上げ、伸縮室３を膨張させることとなる。なお、このような中敷１において、押圧板４を設けた部位には弾性を有するクッション材料を敷設することによって、使用者の踵を保護すると共に、履き心地を良くすることも可能である。
【００２６】
また、本実施例においては、図１又は図２に示すように、中敷１の伸縮室３の後部に設けた吸入通路６を靴の踵２ｂの頂部付近まで伸張すると共に、吸入通路６の上部と靴の踵２ｂの頂部とを挟み込んで固定する止具１９を設けた構成としている。このような構成において、吸入通路６は、図２に示すように、２本の管形状により形成することが可能であるが、３本以上の管形状により形成してもよい。また、止具１９は、図３に示すように、弾性を有する金属又は合成樹脂によって断面コ字形を有する挟持構造に形成し、この止具１９で靴の踵２ｂの頂部と吸入通路６の上端とを挟んで止めるようにする。この際、吸入通路６の吸入口９と止具１９の天面との間には隙間２０ができるようにし、外部の空気が隙間２０から吸入通路６の吸入口９に入るようにする。
【００２７】
一方、伸縮室３の前方に排出通路７を形成すると共に、この排出通路７の途中であって中敷１の土踏まずに相当する部位に補助空気室８を設け、伸縮室３と補助空気室８とは連結通路１２で連結するようにしている。また、排出通路７は、中敷１の先部に進むに従って、靴２を履いた使用者の足の指間に沿うように湾曲させると共に、その使用者の指間に相当する箇所に複数の排出口７ａが向けられるように構成している。なお、排出通路７は、合成樹脂による可撓性を有する管材料により形成し、使用者の足の大きさや形の違いによって、使用者が管形状の排出通路７を自分の好みにあわせて屈曲し、その後に、その排出通路７を中敷１の上下面のシート材で挟んで接着材等で固定するようにしても良い。
【００２８】
また、上記の構成において、吸入通路６には吸入口９から伸縮室３の方向へのみ空気を送る逆止弁構造の吸入弁１０を設けると共に、排出通路７には伸縮室３から排出口７ａの方向へのみ空気を送る逆止弁構造の排出弁１４を設けた構造としている。
【００２９】
このような弁構造を具体的に述べると、図２に示すように、吸入通路６においては伸縮室３への入口１１に吸入弁１０を設け、また排出通路７においては補助空気室８への入口１３に排出弁１４を設け、夫々の弁構造を空気の流れが吸入通路６から排出通路７へ向かう一方向にのみ開く構造とする。
【００３０】
このような逆止弁構造は、図４（ａ）〜(ｃ)に示すように、吸入通路６から伸縮室３への入口１１、また連結通路１２から補助空気室８への入口１３に、夫々の入口１１又は１３を閉塞する長方形の平状な弾性ゴムからなる弁体２１の両端を入口１１又は１３の周部の壁面に両側の固定部２１ａ、２１ａで固定した構成としている。
【００３１】
このような構成において、図４(ｂ)に示すように、弁体２１を伸縮室３又は補助空気室８の内部から押圧する空気の圧力によって弁体２１は壁面に密着して夫々の入口１１又は１３を閉じる。また、図４(ｃ)に示すように、吸入通路６又は連結通路１２を入口１１又は１３へ流入する空気の圧力によって弁体２１が弾性力に抗して浮き上がることにより、入口１１又は１３を開く。
【００３２】
本実施例の靴用中敷１が、上記のように構成されたことにより、靴２を履いた使用者が歩行するに応じて踵を上げたとき、伸縮室３が開放されると、バネ５の弾性力によって伸縮室３が膨張する。これに伴い、吸入弁１０が吸入通路６を開くと同時に排出弁１４が排出通路７を閉じることにより、外部の空気を吸入口９から吸入通路６を経て伸縮室３内に吸入する。このとき、伸縮室３への入口１１の排出弁１４が閉じた状態になるため、指間の蒸れた空気が排出通路７を経て逆流するのを防止することが可能となる。
【００３３】
一方、靴２を履いた使用者が歩行するに応じて使用者の足裏で伸縮室３を押圧したとき、吸入弁１０が吸入通路６を閉じると同時に、排出弁１４が排出通路７を開放することによって、伸縮室３内の空気を排出口７ａから排出する。この際、伸縮室３への入口１１に設けられた吸入弁１１が閉じた状態になるため、伸縮室３内の空気はすべて排出口７ａから排出することとなる。これにより、伸縮室３の空気が各排出口７ａから指間に排出される結果、足の指間に新鮮な外部の空気を送ることができ、足の蒸れを防止することが可能となる。
【００３４】
また、本実施例において、図１又は図２に示すように、排出通路７の途中であって中敷１の土踏まずに相当する部位に補助空気室８を設け、補助空気室８の空気を外方へ吐出する吐出口１５を中敷１の踵側の上側へ向けて設けた構成とすることが可能である。このような構成により、靴２を履いた使用者が歩行やその他の動作によって土踏まずを踏み込むごとに、補助空気室８の空気を吐出口１５から中敷１の踵側の上側へ向けて排出することができ、靴２の使用者の踵周辺の蒸れを防止することが可能となる。なお、この補助空気室８に複数の排出口８ａを形成することにより、靴の使用者の歩行や他の動作によって、補助空気室８内の空気を各排出口８ａから土踏まずの周辺にも排出することが可能となる。
【００３５】
また、本実施例において、図５に示すように、上記の補助空気室８に接触するようにカイロ１６を設けた構成により、このカイロ１６で補助空気室８内の空気を暖めて、この暖めた空気を靴２の使用者の指先周辺に排出することができる。このため、冬季の寒中における足部の冷えや凍傷を効果的に防止することが可能となる。このような構成において、カイロ１６は市販の発熱作用を有する薄型で接着可能なタイプのものを使用しても良いが、補助空気室８の面に接触する部位にカイロ１６を取り出し可能に収納するポケット形状の収納体１７を設けるようにしてもよい。
【００３６】
このような構成により、カイロ１６によって暖められた補助空気室８内の空気は、伸縮室３内の空気を暖め、このように暖められた空気を排出通路７を介し、複数の排出口７ａを経て靴の使用者の指間へ排出することができる。これによって、指間の周辺を暖めると共に、熱伝導によって中敷１全体を暖めると共に、靴２の内部全体を暖めることができ、冬季の寒中状況において靴２内を暖めた状態で使用することが可能となる。
【実施例２】
【００３７】
本実施例は、図６又は図７に示すように、本発明による中敷１をゴム長靴等の長靴１８に適用するようにしたものである。従って、中敷１の構造は上記の実施例１と同様であるが、長靴１８の構造に適するように、中敷１の伸縮室３の後方に連通した吸入通路６を複数の屈曲形状に形成してなる屈曲通路２２を長靴１８の踵の上方の両側に設け、各屈曲通路２２にカイロ１６を接着するように設けた構成としている。
【００３８】
このような構成において、屈曲通路２２は可撓性の２枚の合成樹脂シートを互いに接合した間に空気の流通路２２ａをつづら折り状に屈曲した状態で形成し、流通路２２ａの下端部と中敷１の屈曲室３とを下部吸入通路６ａで連通すると共に、流通路２２ａの上端部から吸入通路６を連通する。そして、実施例１のように、吸入通路６を長靴の踵１８ａの上部付近まで伸張すると共に、吸入通路６の上部と長靴の踵１８ａの頂部とを止具１９で取り外し自在に固定することが可能である。
【００３９】
なお、屈曲通路２２に接着したカイロ１６は、市販の接着性を有するカイロ１６を使用するほか、カイロ１６を取替え自在に収納する収納体１７を屈曲通路２２に接触状態で固定するようにしても良い。
【００４０】
上記の構成において、長靴１８を履いた使用者の歩行の動作によって、カイロ１６で暖まった空気を吸入通路６を経て伸縮室３に吸入することが可能となる。また、伸縮室３の暖かい空気を排出通路７を経て排出口７ａから靴の使用者の指間へ排出することができ、指間の周辺を暖めることが可能となる。また、熱伝導によって中敷１全体を暖めることにより、長靴１８の内部全体を暖めることができ、冬季の寒中状況において長靴１８内を暖めた状態で使用することが可能となる。
【産業上の利用可能性】
【００４１】
本発明の靴用中敷は、革靴又はゴム長靴等の靴の内部に発生する蒸れを防止すると共に、冬季の寒中における足部の冷えや凍傷を防止するようにした靴用中敷として利用可能である。
【符号の説明】
【００４２】
１  中敷
２  靴
２ａ  靴の底面
２ｂ  靴の踵
３  伸縮室
４  押圧板
５  バネ
６  吸入通路
６ａ  下部吸入通路
７  排出通路
７ａ  排出口
８  補助空気室
８ａ  排出口
９  吸入口
１０  吸入弁
１１  伸縮室への入口
１２  連結通路
１３  補助空気室への入口
１４  排出弁
１５  吐出口
１６  カイロ
１７  収納体
１８  長靴
１８ａ  長靴の踵
1９  止具
２０  隙間
２１  弁体
２１ａ  固定部
２２  屈曲通路
２２ａ  流通路
【図１】
2013132463.tif 000003
【図２】
2013132463.tif 000004
【図３】
2013132463.tif 000005
【図４】
2013132463.tif 000006
【図５】
2013132463.tif 000007
【図６】
2013132463.tif 000008
【図７】
2013132463.tif 000009